(57)【特許請求の範囲】
【請求項１】
一方に口部が開口する中空の球状の本体と、前記本体の口部に連続し前記本体に比べて肉厚で内径の小さい円筒形の首部とが一体に設けられ、前記首部をバレルに嵌合して前記本体によりポンピング動作を行う弾性変形可能な樹脂製品を成型する成型方法において、
前記本体を成型する球状部と前記首部を成型する円筒形の円柱部が一体に形成され、前記球状部と前記円柱部を貫通するエアー通路が設けられ、前記エアー通路には、前記エアー通路を塞ぐ密閉部材が設けられ、前記密閉部材は、前記エアー通路に着脱可能又は開閉可能に取り付けられ、前記密閉部材により前記エアー通路が塞がれた中子を使用し、
前記中子の上下両側に位置し上型と下型からなる金型を用いて、前記下型のキャビティに前記中子をセットし、
前記中子の上下両側にある前記上型と前記下型を閉じて、前記中子の周囲に所定の空隙を形成し、前記空隙に樹脂材料を充填して成型した後、前記本体の側面の前記金型の前記上型と前記下型が接した位置で前記金型を上下に開き、前記上型と前記下型を離して、前記中子を前記下型から取り外し、
前記中子の前記エアー通路から前記密閉部材を取り外し又は開いて通気可能な状態にして、前記エアー通路の一方の端部が、前記円柱部の先端の取付部に位置し前記樹脂材料が充填された前記空隙に連通してエアー吹込口となり、他方の端部は、前記樹脂材料が充填された前記空隙の内側に開口してエアー吹出口となり、
前記エアー吹込口からエアーを注入し、前記エアー吹出口から前記中子と前記樹脂材料の間にエアーを吹き出して、前記樹脂材料を弾性変形させて引き伸ばし、前記中子から前記樹脂製品を離型させることを特徴とする成型方法。
【請求項２】
前記樹脂材料はシリコーンゴムである請求項１記載の成型方法。
【請求項３】
一方に口部が開口する中空の球状の本体と、前記本体の口部に連続し前記本体に比べて肉厚で内径の小さい円筒形の首部とが一体に設けられ、前記首部をバレルに嵌合して前記本体によりポンピング動作を行う弾性変形可能な樹脂材料から成る樹脂製品を成型する成型用金型において、
前記本体を成型する球状の球状部と前記首部を成型する円筒形の円柱部が一体に形成され、前記球状部と前記円柱部を貫通するエアー通路が形成され、前記エアー通路の一方の端部が、前記円柱部の先端の取付部に位置し、前記樹脂材料が充填された前記空隙に連通してエアー吹込口となり、他方の端部は、前記樹脂材料が充填された前記空隙の内側に開口してエアー吹出口となる中子と、
前記中子の上下両側に位置し、前記中子を取り外し可能に設けられ、上型と下型を備え、前記本体の側面で前記上型と前記下型が上下に接し、
前記エアー通路には、前記エアー通路を塞ぐ密閉部材が設けられ、前記密閉部材は、前記エアー通路に着脱可能に取り付けられた閉鎖ピンであり、
前記閉鎖ピンを前記中子から取り外して通気可能な状態とし、前記エアー通路にエアーを吹き込むことにより、前記樹脂製品を弾性変形させて前記中子から離型可能に設けられたことを特徴とする成型用金型。
【請求項４】
一方に口部が開口する中空の球状の本体と、前記本体の口部に連続し前記本体に比べて肉厚で内径の小さい円筒形の首部とが一体に設けられ、前記首部をバレルに嵌合して前記本体によりポンピング動作を行う弾性変形可能な樹脂材料から成る樹脂製品を成型する成型用金型において、
前記本体を成型する球状の球状部と前記首部を成型する円筒形の円柱部が一体に形成され、前記球状部と前記円柱部を貫通するエアー通路が形成され、前記エアー通路の一方の端部が、前記円柱部の先端の取付部に位置し、前記樹脂材料が充填された前記空隙に連通してエアー吹込口となり、他方の端部は、前記樹脂材料が充填された前記空隙の内側に開口してエアー吹出口となる中子と、
前記中子の上下両側に位置し、前記中子を取り外し可能に設けられ、上型と下型を備え、前記本体の側面で前記上型と前記下型が上下に接し、
前記エアー通路には、前記エアー通路を塞ぐ密閉部材が設けられ、前記密閉部材は、前記エアー通路を空気圧により開閉可能に取り付けられたエアーバルブであり、
前記エアーバルブを開いて通気可能な状態とし、前記エアー通路にエアーを吹き込むことにより、前記樹脂製品を弾性変形させて前記中子から離型可能に設けられたことを特徴とする成型用金型。
【発明の詳細な説明】
【技術分野】
【０００１】
この発明は、一方に小さい口部が開口する略球状の本体と、本体の口部に連続する円筒形の首部とが一体に設けられた樹脂製品を成型する成型方法と成型用金型に関する。
【背景技術】
【０００２】
医療関係器具、玩具、インテリア用品、キッチン用品等に、従来より球状のシリコーンゴム製品が使用されている。例えば、図６に示すバルブシリンジ１には、球状のシリコーン製品であるバルブ２が使用されている。バルブシリンジ１は、合成樹脂製のバレル３を有し、バレル３の筒本体の一方の端部は径が細い注出口４であり、他方の端部は径が太いバルブ取付口５である。バルブ２は、図７に示すように、一方に小さい口部が開口する球状の本体６と、口部に連続し外側に突出する円筒形の首部７とが一体に設けられている。
【０００３】
バルブ２は、バレル３に取り付けられる首部７が本体６に比べて肉厚であり、その内径も極端に小さいうえに、本体６との接合部７ｃの内側には変形防止用のリブ７ａがあり、首部７自体の剛性が非常に高い。このため、バルブ２を一体形で成型した場合は、バルブ２から成型金型の中子を取り出そうとしても、中子の球状部分がバルブ２の首部７を通過することができず、離型取出しすることができない。
【０００４】
このため、従来の成型方法は、図８に示すように、単体で離型が可能な本体６を最初に一次型８と一次中子９で成型し（図８（ａ））、エアーガン４８で圧縮空気を吹き込み、一次中子９の外側に貼り付いた本体６を一次中子９から剥離させ、本体６の開口部を弾性変形させて取り外している（図８（ｂ））。次に成型された本体６を、首部７を成型する二次型１０と、本体６の一次中子９より細い二次中子１１にセットして（図８（ｃ））、首部７をインサート成型し、本体６と首部７が接合された一体形のバルブ２を成型する。二次中子１１は細いためバルブ２の首部７を僅かに弾性変形させて無理なく離型することができる（図８（ｄ））。成型された本体６は、二次加硫して製品とする。
【０００５】
また、従来より中子を離型する方法として、エアーを利用する方法がある。例えば、特許文献１に開示されている成型金型の成型品離型装置は、アンダーカットを有する成型品を金型から離型させる金型装置であり、可動側金型にアンダーカットを有して密着する成型品を離型させるためのエアー供給装置が、可動側金型に成型品に接して埋設されている。エアー供給装置から、エアーを成型品と可動側金型の間に噴出させ、この噴出により離型のための浮き上がり力を高めて、成型品を弾性変形で離型させるものである。
【先行技術文献】
【特許文献】
【０００６】
【特許文献１】特開２００３−９４４９６号公報
【発明の概要】
【発明が解決しようとする課題】
【０００７】
図８に示すバルブ２の成型方法は、完成品を得るのに２回の成型が必要になり、生産効率が良くない。生産量とコストの関係から、一般的に多数個取りの金型となるため、本体６と首部７の組み合わせ数通りの製品仕上がりが発生し、金型立上げ時には全ての組み合わせについての品質管理が必要になり、手間がかかる。２回に分けて成型するため、成型金型は、本体６を成型する一次型８と、首部７を成型する二次型１０の、２個の型が最低でも生産に必要となるが、実際には一次型８に対してインサート成型のために生産性が低い二次型１０を２面用意し、３型一組での生産となる。
【０００８】
さらに、本体６に二次中子１１を取り付け、首部７をインサート成型する作業は不安定なため、一次型８により本体６を成型する作業に比べて採算性が低く、生産効率を考えて、一次型８を１面に対して二次型１０を２面用意し、３面一組での運用となる。３面一組での生産ラインとなるため、成型機等の生産設備も３台ずつ必要となり、設備負担も大きく、その工程管理も煩雑である。また、稼働にはそれなりの人員確保が必要であり、イニシャル費もランニング費も非常にコスト高になっている。
【０００９】
成型品はシリコーン製のため、本体６をインサートして首部７を成型する際の二次型１０と二次中子１１への固定にばらつきが生じやすく、図７に示す余剰材料肉のはみ出し７ｄや、接合部７ｃでの歪みや段差等が発生しやすい。接合部７ｃに接合不良が発生すると、接合不良によりバルブ２の全長の長さの変化が起こることがある。首部７の成型の際に、首部７での金型同士が接した位置のＰＬ７ｂができるため、バリが生じやすく、バレル３のバルブ取付口５に取り付ける時にシール性能の低下を招きやすい。
【００１０】
その他、一次型８と二次型１０の間に手作業が入るため、接合部７ｃへの異物混入（付着／練り込み）や雑菌付着の問題が避けられず、異物による不良や汚染の可能性がある。首部７を成型する際、軟性体の本体６を二次中子１１に取付けてインサート成型するため、二次中子１１の固定にバラツキが発生し易くなり、二次型１０や二次中子１１の破損や摩耗の原因になる。このため一次中子９と二次中子１１は消耗品となる。特に、二次型１０は不安定なインサート成型となるため、消耗が早く、一次型８に比べ金型寿命が短い。
【００１１】
この発明は、上記背景技術の問題点に鑑みてなされたものであり、中空の球状の本体と首部とが一体に設けられ弾性変形可能な樹脂製品を、安価で効率よく、きれいに仕上げることができる成型方法と成型金型を提供することを目的とする。
【課題を解決するための手段】
【００１２】
本発明は、一方に口部が開口する中空の球状の本体と、前記本体の口部に連続する円筒形の首部とが一体に設けられた樹脂製品を成型する成型方法である。前記本体を成型する球状部と前記首部を成型する円筒形の円柱部が一体に形成され、前記球状部と前記円柱部を貫通するエアー通路が設けられ、前記エアー通路には、前記エアー通路を着脱可能に塞ぐ密閉部材が設けられ、前記密閉部材により前記エアー通路が塞がれた中子を使用する。成型は、先ず前記中子の両側から金型を閉じて、前記中子の周囲に所定の空隙を形成し、前記空隙に樹脂材料を充填させ、この後、前記金型を開き、前記中子の前記エアー通路から前記密閉部材を取り外し又は開いて通気可能な状態にする。前記エアー通路の一方の端部は、前記樹脂材料が充填された前記空隙に連通してエアー吹込口となり、他方の端部は前記樹脂材料が充填された前記空隙の内側に開口してエアー吹出口となる。そして、前記エアー吹込口からエアーを注入し、前記エアー吹出口から前記中子と前記樹脂材料の間にエアーを吹き出して、前記樹脂材料を弾性変形させて引き伸ばし、前記中子から前記樹脂製品を離型させる。前記樹脂材料は、弾性のある樹脂材料であれば良く、例えばシリコーンゴムが好適である。
【００１３】
また本発明は、一方に口部が開口する中空の球状の本体と、前記本体の口部に連続する円筒形の首部とが一体に設けられた樹脂製品を成型する成型用金型であり、前記樹脂製品は弾性変形可能な樹脂材料から成る。前記本体を成型する球状の球状部と、前記首部を成型する円筒形の円柱部が一体に形成され、前記球状部と前記円柱部を貫通するエアー通路が形成された中子を備え、前記エアー通路には、前記エアー通路を着脱可能に塞ぐ密閉部材が設けられている。そして、前記密閉部材を取り外し又は開いて通気可能な状態とし、前記エアー通路にエアーを吹き込むことにより、前記樹脂製品を弾性変形させて前記中子から離型させる成形用金型である。前記密閉部材は、閉鎖ピンまたはエアーバルブである。
【発明の効果】
【００１４】
本発明の成型方法と成型金型は、一方に口部が開口する中空の球状の本体と、本体の口部に連続する円筒形の首部とが一体に設けられた樹脂製品を、安価で効率よく、きれいに仕上げることができる。さらに、品質のばらつきがなく、不良の発生を抑えることができる。
【図面の簡単な説明】
【００１５】
【図１】この発明の一実施形態の成型用金型の正面図である。
【図２】この実施形態の成型方法の各工程を示す概略図である。
【図３】この実施形態の成型用金型の縦断面図である。
【図４】この実施形態の成型方法で製造されたシリコーン樹脂製品であるバルブの正面図（ａ）と縦断面図（ｂ）である。
【図５】この実施形態の成型用金型の変形例を示す縦断面図である。
【図６】この実施形態の成型方法で製造されたシリコーン樹脂製品であるバルブ又は従来のバルブを使用したバルブシリンジの正面図である。
【図７】従来の成型方法で製造されたシリコーン樹脂製品であるバルブの正面図（ａ）と縦断面図（ｂ）である。
【図８】従来の成型方法の各工程を示す概略図である。
【発明を実施するための形態】
【００１６】
以下、この発明の実施形態について図面に基づいて説明する。この実施形態の成型方法は、一方に口部が開口する中空の球状の本体と、本体の口部に連続する円筒形の首部とが一体に設けられた樹脂製品を成型するものであり、ここでは、図６に示すバルブシリンジ１のバルブ２とほぼ同じ形状のバルブ２０を、弾性変形可能な樹脂材料であり可撓性を有するシリコーンゴム材料５２で一体成型するものである。
【００１７】
バルブ２０は、図４に示すように、一方に口部が開口する中空の球状の本体２２と、口部に連続し外側に突出する円筒形の首部２４とが一体に設けられている。首部２４は、本体２２に比べて肉厚であり、その内径も小さく、首部２４自体の剛性が高い。本体２２と首部２４の接続部分の内側には変形防止用のリブ２６が一周して設けられている。首部２４の外側面には、バレル３のバルブ取付口５の内周面に密着する突状２８が複数本、首部２４の軸方向に交差するリング状に設けられている。本体２２の外側面には、首部２４の突出方向に交差する直径に沿って、後述する成型用金型３０のＰＬ２７が形成される。本体２２の内側面には、首部２４とは反対側の位置に、後述するエアー通路４４に突出していた痕跡である突起２９が設けられている。
【００１８】
次に、この実施形態のバルブ２０を成型する成型用金型３０について、図１に基づいて説明する。成型用金型３０は、バルブ２０の本体２２の首部２４とは反対側の外側面を形成する金型の上型３２と、本体２２の首部２４を有する側の外側面を形成する金型の下型３４と、バルブ２０の内側面を形成する型である中子３６から成る。
【００１９】
中子３６について説明する。中子３６は、図１〜図３に示すように、バルブ２０の本体２２を成型する球状の球状部３８と、首部２４を成型する円筒形の円柱部４０が一体に形成され、円柱部４０の球状部３８とは反対側の先端には、下型３４に取り付ける取付部４２が一体に設けられている。中子３６の内部には、取付部４２から、取付部４２とは反対側の中子３６の頂上までを貫通する円筒状のエアー通路４４が設けられている。エアー通路４４は、中子３６の中心を通過するものであり、一方の端部は球状部３８の頂上に開口してエアー吹出口３８ａとなり、他方の端部は取付部４２の中央に開口してエアー吹込口４２ａとなる。
【００２０】
また、エアー通路４４には、エアー通路４４を着脱可能に閉鎖する密閉部材が設けられている。密閉部材は、エアー通路４４に、着脱可能に挿入される閉鎖ピン４６である。閉鎖ピン４６は、エアー通路４４の取付部４２に開口したエアー吹込口４２ａから差し込まれ、球状部３８に開口したエアー吹出口３８ａに達してエアー吹出口３８ａを密閉する。
【００２１】
上型３２には、バルブ２０の、首部２４とは反対側の本体２２の外側半分を成型する半円形のキャビティ３２ａが形成されている。下型３４には、バルブ２０の本体２２の残りの外側半分を成型する半円形と、首部２４を成型する円筒形と、突状２８を形成する溝が連続するキャビティ３４ａが形成されている。キャビティ３４ａに連続し、バルブ２０の取付部４２が嵌合される取り付け凹部３４ｂが設けられている。取り付け凹部３４ｂには、スライドロック５０が取り付けられ、中子３６の取付部４２を着脱可能に係止する。
【００２２】
次に、バルブ２０の成型方法について図２に基づいて説明する。中子３６のエアー通路４４に閉鎖ピン４６をセットし、エアー吹出口３８ａを密閉する。この後、下型３４のキャビティ３４ａに中子３６をセットし、取付部４２を凹部３４ｂに入れ、スライドロック５０で係止する（図２（ａ））。球状部３８の頂上付近、つまりエアー吹出口３８ａ付近に短冊状にカットしたシリコーンゴム材料５２を置き、下型３４と上型３２を閉じて中子３６の周囲に所定の空隙を形成すると同時に型締めの圧力でその空隙全体にシリコーンゴム材料５２を充填させる（図２（ｂ））。なお、成型用金型３０は高温に保たれており、所定の時間、シリコーンゴム材料５２を圧縮することによって形状を保てるまで一次加硫させる。シリコーンゴム材料５２は、着色及び硬度調整が行われており、加硫剤が添加されている。
【００２３】
一次加硫による硬化を終えて形状が安定した後、上型３２と下型３４を離し、スライドロック５０を解除して、中子３６を下型３４から取り外す（図２（ｃ））。この状態では、中子３６の外側面にはシリコーンゴム材料５２が密着しているので、先ず、中子３６のエアー吹込口４２ａから、閉鎖ピン４６を抜き、エアー通路４４を開放する（図２（ｄ））。エアー通路４４のエアー吹込口４２ａには、シリコーンゴム材料５２の内面が露出し、エアー吹出口３８ａはシリコーンゴム材料５２に覆われている。
【００２４】
この状態で、エアー通路４４のエアー吹込口４２ａにエアーガン４８のノズルを当て、適宜エアーを吹き込む（図２（ｅ））。エアー通路４４のエアー吹出口３８ａから中子３６とシリコーンゴム材料５２の間にエアーが吹き込まれ、シリコーンゴム材料５２が中子３６から剥離され、シリコーンゴム材料５２がエアーにより膨らんで弾性変形して引き伸ばされる。これにより、中子３６からバルブ２０が勢いよく飛び出すように外れる。シリコーンゴム材料５２は外れた瞬間に、弾性変形が急激に元の形状サイズに戻り、バルブ２０の形状が成型される。
【００２５】
この後、ＰＬ２７においてバリ処理をし、全体にショートショットや変形が無いか確認する。そして高温炉に入れて二次加硫を行い、図４に示すバルブ２０の製造が完了する。
【００２６】
バルブ２０は、背景技術で説明した従来のバルブ２と同様の使用法である。バレル３のバルブ取付口５に首部２４を差し込んで突状２８により密着し、バルブシリンジ１の一部を構成し、医療製品として使用される。バルブシリンジ１は、手術時に体液等で汚れた術野へ、生理食塩水等を吹きかけて洗浄するためのスポイト器具である。
【００２７】
バルブ２０は、シリコーンゴム材料５２を一定の硬度の下に、各部の肉厚の設定によりそれぞれ適宜強度を調整して、以下の必要な機能を備えている。例えば、本体２２は一定の容積の内空を持ち、その形状は僅かな外圧により容易に変形し、その外力が無くなると自力復帰し元の形状を維持することができる。バレル３に組み付けた状態で本体２２の変形と復帰による容積変化を繰り返す際に、バレル３内へその変化の相当量の流体の排出と吸入をポンピング動作で繰り返すことができるだけの、弾力性を有している。首部２４は、嵌合状態ではその反発力によって嵌合状態を維持しつつ、その外周の突状２８により嵌合部からの内容物の漏れを防ぐシール機能を有している。本体２２と首部２４の境界部分の内側にリブ２６を有し、リブ２６は、本体２２のポンピング動作により首部２４が変形することを抑え、バルブ２０のバレル３からの抜け落ちや、嵌合部でのズレによる漏れを防ぐ。
【００２８】
この実施形態の成型方法と成型用金型３０によれば、一方に小さい口部が開口する球状の本体２２と、本体２２の口部に連続する円筒形の首部２４とが一体に設けられたシリコーンゴム材料５２を使用した樹脂製品を、安価で効率よく、きれいに仕上げることができる。バルブ２０は、本体２２に比べて首部２４が肉厚でその内径も小さく、首部７自体の剛性が高く、また本体２２と首部２４の接続部の内側には変形防止用のリブ２６が一周して設けられているため、中子３６から外しにくいが、中子３６にエアー通路４４を設けてエアー通路４４にエアーを吹き込むことにより、簡単に外すことができる。
【００２９】
さらに、本体２２と首部２４を１回で成型することができ、工程が少なく製造が簡単であり、生産性が向上する。増産体制が取り易くなる。従来の成型方法よりも使用する金型を少なくし、コストを下げることができる。成型工賃が１回であり、従来の２回成型する方法に比べてコストが安価である。従来の、２回成型する方法では本体６と首部７の組み合わせ確認が必要であったが、この実施形態の成型方法では不要であり、立ち上げ調整工数を削減することができる。従来の、本体６と首部７の間にあった接合部７ｃを無くし、首部２４の首曲がり等が発生せず、品質が向上する。その他、首部２４にＰＬが無いため、外観上もきれいであり、バリや潰れ等の外観不良が起きることが無く、シール性を低下させることが無く、バレル３に取り付けた時にバレル３のバルブ取付口５の内周面に密着することができ、空気漏れを防ぎ、正確に動作する。
【００３０】
なお、この実施形態の中子３６は、閉鎖ピン４６以外の密閉部材が設けられても良い。たとえば、図５に示す中子５４のように、エアー通路４４のエアー吹出口３８ａに、密閉部材であるエアーバルブ５６が取り付けられているものでも良い。エアーバルブ５６には、バネ５８で付勢されたピン６０が設けられ、ピン６０がエアー吹出口３８ａに押し付けられてエアー吹出口３８ａを密閉し、シリコーンゴム材料５２がエアー通路４４に進入することを防ぐ。
【００３１】
成型方法は、シリコーンゴム材料５２の硬化が終わった後、上記実施形態の中子３６と同様に、中子５４を下型３４から取り外す。中子５４の外側面にはシリコーンゴム材料５２が貼り付いているが、エアー通路４４のエアー吹込口４２ａがシリコーンゴム材料５２から離れた位置にあり、エアー吹出口３８ａはシリコーンゴム材料５２に覆われている。離型時には、エアー通路４４のエアー吹込口４２ａにエアーガン４８のノズルを当て、適宜エアーを吹き込む。エアー通路４４にエアーが吹き込まれ、エアーによりピン６０がバネ５８の付勢力に抗してエアー吹出口３８ａから突出してエアー吹出口３８ａが開き、エアー吹出口３８ａからエアーが噴き出す。これにより、中子５４とシリコーンゴム材料５２の間にエアーが吹き込まれ、シリコーンゴム材料５２が中子５４から剥離し、シリコーンゴム材料５２がエアーにより膨らんで弾性変形して引き伸ばされる。これにより、中子５４から勢いよく飛び出すように外れる。外れた後は、中子３６で成型したシリコーンゴム材料５２と同様に、弾性変形が元の形状サイズに戻り、バルブ２０が成型される。
【００３２】
この後、バリ処理をし、ショートショットや変形が無いか確認し、バルブ２０を高温炉に入れて二次加硫を行い、バルブ２０の製造が完了する。
【００３３】
この中子５４により、中子３６と同様に、バルブ２０を安価で効率よく、きれいに仕上げることができる。閉鎖ピン４６が不要であり、閉鎖ピン４６を取り付けたり取り外したりする工程が不要で、製造工程が簡単である。
【００３４】
なお、この実施形態の成型方法と成型用金型は、上記実施形態に限定されるものではなく、樹脂製品の本体の形状は球状以外でも良く、一方向に長い卵型やしずく型などでも良く、成型用金型の形状も本体に合わせた形状に変更可能である。樹脂製品の材料はシリコーンゴム材料以外でも良く、簡単に成型が可能で、十分な弾性及び可撓性を有する材料であれば用いることができる。バルブ以外の樹脂製品の製造にも使用することができる。
【符号の説明】
【００３５】
２０  バルブ
２２  本体
２４  首部
３０  成型用金型
３２  上型
３４  下型
３６，５４  中子
３８  球状部
３８ａ  エアー吹出口
４０  円柱部
４２  取付部
４２ａ  エアー吹込口
４４  エアー通路
４６  閉鎖ピン
５６  エアーバルブ
５２  シリコーンゴム材料
【要約】
【課題】中空の球状の本体と首部とが一体に設けられ、弾性変形可能な樹脂製品を、安価で効率よく、きれいに仕上げることができる成型方法と成型金型を提供する。
【解決手段】一方に口部が開口する中空の球状の本体２２と、本体２２の口部に連続する円筒形の首部２４とが一体に設けられた樹脂製品を成型する。成型は、球状部３８と円柱部４０を一体に有し、球状部３８と円柱部４０を貫通するエアー通路４４を備え、エアー通路４４を着脱可能に塞ぐ密閉部材４６を備えた中子３６を使用する。金型３２，３４で成型後、中子３６のエアー通路４４から密閉部材４６を通気可能な状態にして、エアー通路４４の一方の端部が、エアー吹込口４２ａとなり、他方の端部は樹脂材料の内側に開口してエアー吹出口３８ａとなる。エアー吹込口４２ａからエアーを注入し、エアー吹出口３８ａからエアーを吹き出して、樹脂材料を弾性変形させて引き伸ばし、中子３６から樹脂製品を離型する。
【選択図】図１【図１】
0006714223.tif 000002
【図２】
0006714223.tif 000003
【図３】
0006714223.tif 000004
【図４】
0006714223.tif 000005
【図５】
0006714223.tif 000006
【図６】
0006714223.tif 000007
【図７】
0006714223.tif 000008
【図８】
0006714223.tif 000009